(57)【要約】【課題】  取付の手間は削減するとともに、スピーカケースの落下を防止する。【解決手段】  固定バンドは、略柱状あるいは略板状の取付対象部材であるピラーＰに巻き付けられるとともに、当該巻き付けられた状態の形状を保持して、スピーカケースを支持したブラケットをピラーに固定する。【選択図】      図１１
2005079742.tif 000002
【特許請求の範囲】
【請求項１】
略柱状あるいは略板状の取付対象部材に取り付けられるスピーカ装置であって、
スピーカユニットを内蔵したスピーカケースと、
前記スピーカケースを支持するブラケットと、
前記取付対象部材に巻き付けられるとともに、当該巻き付けられた状態の形状を保持して、前記ブラケットを前記取付対象部材に固定するブラケット固定部と、
を備えたことを特徴とするスピーカ装置。
【請求項２】
請求項１記載のスピーカ装置において、
前記ブラケット固定部は、塑性材料で形成されたベルト状の部材であることを特徴とするスピーカ装置。
【請求項３】
請求項２記載のスピーカ装置において、
前記ブラケット固定部は、アルミニウムベルトとして形成されていることを特徴とするスピーカ装置。
【請求項４】
請求項１ないし請求項３のいずれかに記載のスピーカ装置において、
前記ブラケットは、前記スピーカケースを回動可能に支持していることを特徴とするスピーカ装置。
【請求項５】
請求項１ないし請求項４のいずれかに記載のスピーカ装置において、
前記取付対象部材は、車両のピラーであり、
前記ブラケット固定部は、前記車両のピラーの形状に沿って巻き付けられることを特徴とするスピーカ装置。
【請求項６】
請求項１ないし請求項５のいずれかに記載のスピーカ装置において、
前記ブラケットは、前記取付対象部材にねじ等の固定部材により固定されることを特徴とするスピーカ装置。
【請求項７】
略柱状あるいは略板状の取付対象部材にスピーカユニットを内蔵したスピーカ装置を取り付けるためのスピーカ装置の取付装置であって、
前記スピーカ装置を支持するためのブラケットと、
前記取付対象部材に巻き付けられるとともに、当該巻き付けられた状態の形状を保持して、前記ブラケットを前記取付対象部材に固定するブラケット固定部と、
を備えたことを特徴とするスピーカ装置の取付装置。
【請求項８】
請求項７記載のスピーカ装置の取付装置において、
前記ブラケット固定部は、塑性材料で形成されたベルト状の部材であることを特徴とするスピーカ装置の取付装置。
【請求項９】
請求項８記載のスピーカ装置の取付装置において、
前記ブラケット固定部は、アルミニウムベルトとして形成されていることを特徴とするスピーカ装置の取付装置。
【請求項１０】
請求項７ないし請求項９のいずれかに記載のスピーカ装置の取付装置において、
前記ブラケットは、前記スピーカケースを回動可能に支持していることを特徴とするスピーカ装置の取付装置。
【請求項１１】
請求項７ないし請求項１０のいずれかに記載のスピーカ装置の取付装置において、
前記ブラケットは、前記取付対象部材にねじ等の固定部材により固定されることを特徴とするスピーカ装置の取付装置。
【発明の詳細な説明】
【技術分野】
【０００１】
本発明は、スピーカ装置およびスピーカ装置の取付装置に係り、特に車載用に好適なスピーカ装置およびその取付装置に関する。
【背景技術】
【０００２】
一般に、車載用スピーカの取付装置にあっては、自動車のドアトリムに取付板をねじ止めしておいて、この取付板の爪にスピーカケースの溝を嵌合させることにより、スピーカケースを取り付けるようにしたものが提案されている（例えば、特許文献１参照）。
【特許文献１】特開昭６２−１００７８５号公報
【発明の開示】
【発明が解決しようとする課題】
【０００３】
上記従来のスピーカ装置およびスピーカ装置の取付装置においては、取付板を使用するために板金固定用の孔空けが必要であり取付の手間がかかるとともに、ねじが緩んだ場合にスピーカケースが落下する恐れがあった。
【０００４】
そこで、本発明の目的は、取付の手間は削減するとともに、スピーカケースの落下を防止することが可能なスピーカ装置およびスピーカ装置の取付装置を提供することにある。
【課題を解決するための手段】
【０００５】
上記課題を解決するため、略柱状あるいは略板状の取付対象部材に取り付けられるスピーカ装置は、スピーカユニットを内蔵したスピーカケースと、前記スピーカケースを支持するブラケットと、前記取付対象部材に巻き付けられるとともに、当該巻き付けられた状態の形状を保持して、前記ブラケットを前記取付対象部材に固定するブラケット固定部と、を備えたことを特徴としている。
【０００６】
この場合において、前記ブラケット固定部は、塑性材料で形成されたベルト状の部材であるようにしてもよい。
【０００７】
また、前記ブラケット固定部は、アルミニウムベルトとして形成されているようにしてもよい。
【０００８】
さらに、前記ブラケットは、前記スピーカケースを回動可能に支持しているようにしてもよい。
【０００９】
さらにまた、前記取付対象部材は、車両のピラーであり、前記ブラケット固定部は、前記車両のピラーの形状に沿って巻き付けられるようにしてもよい。
【００１０】
また、前記ブラケットは、前記取付対象部材にねじ等の固定部材により固定されるようにしてもよい。
【００１１】
また、略柱状あるいは略板状の取付対象部材にスピーカユニットを内蔵したスピーカ装置を取り付けるためのスピーカ装置の取付装置は、前記スピーカ装置を支持するためのブラケットと、前記取付対象部材に巻き付けられるとともに、当該巻き付けられた状態の形状を保持して、前記ブラケットを前記取付対象部材に固定するブラケット固定部と、を備えたことを特徴としている。
【００１２】
この場合において、前記ブラケット固定部は、塑性材料で形成されたベルト状の部材であるようにしてもよい。
【００１３】
また、前記ブラケット固定部は、アルミニウムベルトとして形成されているようにしてもよい。
【００１４】
さらに、前記ブラケットは、前記スピーカケースを回動可能に支持しているようにしてもよい。
【００１５】
また、前記ブラケットは、前記取付対象部材にねじ等の固定部材により固定されるようにしてもよい。
【発明の効果】
【００１６】
本発明によれば、スピーカ装置の取付を容易に行えるとともに、車両の振動などに起因するスピーカケースの落下を防止することが可能となる。
【発明を実施するための最良の形態】
【００１７】
次に本発明の実施の形態について図面を参照して説明する。
【００１８】
図１は、車両のピラーに実施形態のスピーカ装置を取り付けた場合の一部破断外観斜視図である。
【００１９】
スピーカ装置１０は、後述するスピーカユニットを内蔵したスピーカケース（スピーカ本体）１１が、車両のピラーＰにアルミニウム製の固定ベルト１２および後述するブラケットにより固定されている。
【００２０】
図２は、スピーカケースにブラケットを取り付けた場合の正面図である。図３はスピーカケースにブラケットを取り付けた場合の上面図である。図４は、スピーカケースにブラケットを取り付けた場合の背面図である。
【００２１】
スピーカケース１１は、ＡＢＳ樹脂などの樹脂で形成されたフロントバッフル２１およびリアキャビネット２２を有している。
【００２２】
スピーカケース１１の正面側には、金属製のグリルメッシュ２３が設けられており、その裏面側には、スピーカユニットであるツィータユニット２４およびウーハーユニット２５が配置されている。
【００２３】
リアキャビネット２２の背面側には、図４に示すように、ねじ回しを挿入するための凹部２２Ａが両端部に設けられている。そして、リアキャビネット２２の背面にはブラケット３１が後述する固定用ねじにより固定されている。さらにリアキャビネット２２の背面中央部から車内のオーディオシステムあるいはオーディオビジュアルシステムに電気的にスピーカケースを接続するためのコネクタケーブル４１が伸びている（なお、図２および図３では、図示を省略している）。
【００２４】
図５は、ブラケットの説明図である。ここで、図５（ａ）は、ブラケットの正面図である。また、図５（ｂ）は、図５（ａ）のブラケットのＡ−Ａ断面図である。
【００２５】
ブラケット３１には、固定ベルト１２を通すためのベルト通し孔３２が設けられている。さらにブラケット３１の両側側には、車両側にブラケット３１をねじ止めして固定する必要がある場合に固定用タッピングねじを挿入するための、同一円周に沿って配置された円弧形状を有する長孔３３が設けられている。さらにまた、ブラケット３１の両端に近い位置には、スピーカケース１１を固定する際に用いられるケース固定部３４が立設されている。このケース固定部３４には、後述する固定用ねじ４２（図１１参照）が挿入される孔３４Ａが設けられている。
【００２６】
次にスピーカ装置の取付手順について詳細に説明する。
【００２７】
図６は、ブラケットに対する固定ベルトの取付の説明図である。
【００２８】
まず、図６において矢印で示すように、固定ベルト１２をブラケット３１の裏面側からベルト通し孔３２に通し、さらに表面側から再び対応するベルト通し孔３２に通す。そして、図６の右上側に図示するように、対応するベルト通し孔３２からの固定ベルト１２の端部までの長さがそれぞれ略等しくなるような位置まで固定ベルト１２を挿入する。
【００２９】
図７は、ブラケットの車両への取付作業の説明図である。
【００３０】
次に図示しない両面粘着テープをブラケット３１の裏面側に貼り付け、固定ベルト１２の先端を、図７中矢印で示すように、車両のピラーＰの裏面に徐々に挿入する。
【００３１】
そして、ある程度、固定ベルト１２が挿入された状態で、ブラケット３１をピラーＰの表面に両面粘着テープにより所望の位置に固定する。
【００３２】
図８は、ブラケットの車両への取付状態の説明図である。
【００３３】
その後、ピラーＰの形状に沿わせて固定ベルト１２をさらに挿入し、図８に示すように、固定ベルト１２によりピラーＰを抱き込むようにしてブラケット３１を完全に固定状態とする。
【００３４】
図９は、ブラケットの車両への取付状態の説明のための外観斜視図である。
【００３５】
固定ベルト１２によりピラーＰを抱き込むようにしてブラケット３１が完全に固定状態とされると、図９に示すように、ピラーＰの表面にブラケット３１が固定されるとともに、固定ベルト１２もピラーＰの表面および裏面に密着した状態となり確実にスピーカケース１１を保持可能な状態となる。
【００３６】
図１０は、スピーカケースの側面図である。また、図１１は、スピーカケースの取付説明図である。また、図１２は、スピーカケースの取付状態の説明図である。
【００３７】
スピーカケース１１の凹部２２Ａの一端には、図１０に示すように、固定用ねじ（マシンスクリュー）４２に対応したねじ孔２２Ｂが設けられている。
【００３８】
そこで、図１１に示すように、スピーカケース１１の左右から、固定用ねじ４２をケース固定部３４に設けられた孔３４Ａに挿入し、さらにねじ孔２２Ｂにねじ止めする。
【００３９】
この結果、スピーカケース１１は、図１２に示すように、ブラケット３１に回動可能に固定されることとなる。
【００４０】
従って、固定用ねじ４２を軽く緩め、図１２中に矢印で示すように、回動させ、所望の方向にグリルメッシュ２３の方向を向けることにより、図１に示したように、スピーカユニット２４，２５を所望の方向に向けて最適なリスニング環境を容易に得ることができる。
【００４１】
以上の説明のように、本実施形態によれば、取付の手間は削減するとともに、スピーカケースの落下を防止することが可能となる。
【００４２】
以上の説明においては、固定ベルトを用い、ブラケットをねじ止めしなかったが、悪路などの振動の多いような環境で用いる場合には、より確実にスピーカケースの落下を防止すべく、ブラケットをねじ止めするようにすることも可能である。
【００４３】
図１３は、変形例のブラケットの車両への取付作業の説明図である。
【００４４】
まず、ピラーＰのブラケット３１の取付位置に固定ベルト１２を挿入する前のブラケット３１をあてがい、長孔３３の位置に対応させて固定用タッピングねじ５０用の孔５１を２カ所あける。
【００４５】
次に、図６において矢印で示したように、固定ベルト１２をブラケット３１の裏面側からベルト通し孔３２に通し、さらに表面側から再び対応するベルト通し孔３２に通す。そして、図６の右上側に図示するように、対応するベルト通し孔３２からの固定ベルト１２の端部までの長さがそれぞれ略等しくなるような位置まで固定ベルト１２を挿入する。
【００４６】
次に図示しない両面粘着テープをブラケット３１の裏面側に貼り付け、固定ベルト１２の先端を、図１３中、矢印で示すように、車両のピラーＰの裏面に徐々に挿入する。
【００４７】
そして、ある程度、固定ベルト１２が挿入された状態で、ブラケット３１をピラーＰの表面に両面粘着テープにより所望の位置に固定する。
【００４８】
次に固定用タッピングねじ５０を長孔３３、孔５１を介してピラーＰに挿入し、ピラーＰの裏面側に配置したスピードナット５２にねじ止めする。
【００４９】
その後、ピラーＰの形状に沿わせて固定ベルト１２をさらに挿入し、固定ベルト１２によりピラーＰを抱き込むようにしてブラケット３１を完全に固定状態とする。
【００５０】
以下は、上述の実施形態と同様に、スピーカケース１１を取り付けることとなる。
【００５１】
本変形例によれば、より強固にスピーカケースを取り付けることが可能となり、より確実にスピーカケースの落下を防止することができる。
【００５２】
以上の説明においては、取付対象部材が車両のピラーである場合であったが、略柱状あるいは略板状等の取付対象部材を固定バンドが抱き込むようにできる部材であれば様々な部材を取付対象部材とすることが可能である。例えば、取付対象部材としては、家屋の柱や梁などでも可能である。
【００５３】
したがって、ユーザーに対し、幅広い取付け要求に応えることができ、スピーカ取付位置の自由度が増大する。
【００５４】
以上の説明においては、固定バンドとしてアルミニウム製のバンドを用いていたが、取付対象部材に巻き付けられるとともに、当該巻き付けられた状態の形状を保持可能な材質、特に塑性材料で形成されたベルト状の部材で構成されるものであればよい。
【図面の簡単な説明】
【００５５】
【図１】車両のピラーに実施形態のスピーカ装置を取り付けた場合の一部破断外観斜視図である。
【図２】スピーカケースにブラケットを取り付けた場合の正面図である。
【図３】スピーカケースにブラケットを取り付けた場合の上面図である。
【図４】スピーカケースにブラケットを取り付けた場合の背面図である。
【図５】ブラケットの説明図である。図５（ａ）は、ブラケットの正面図である。また、図５（ｂ）は、図５（ａ）のブラケットのＡ−Ａ断面図である。
【図６】ブラケットに対する固定ベルトの取付の説明図である。
【図７】ブラケットの車両への取付作業の説明図である。
【図８】ブラケットの車両への取付状態の説明図である。
【図９】ブラケットの車両への取付状態の説明のための外観斜視図である。
【図１０】スピーカケースの側面図である。
【図１１】スピーカケースの取付説明図である。
【図１２】スピーカケースの取付状態の説明図である。
【図１３】変形例のブラケットの車両への取付作業の説明図である。
【符号の説明】
【００５６】
１０…スピーカ装置
１１…スピーカケース（スピーカ本体）
１２…固定ベルト（ブラケット固定部）
２１…フロントバッフル
２２…リアキャビネット
２２Ａ…凹部
２３…グリルメッシュ
２４…ツィータユニット（スピーカユニット）
２５…ウーハーユニット（スピーカユニット）
３１…ブラケット
３２…ベルト通し孔
３３…長孔
３４…ケース固定部
３４Ａ…孔
４１…コネクタケーブル
４２…固定用ねじ
Ｐ…ピラー（取付対象部材）
【図１】
2005079742.tif 000003
【図２】
2005079742.tif 000004
【図３】
2005079742.tif 000005
【図４】
2005079742.tif 000006
【図５】
2005079742.tif 000007
【図６】
2005079742.tif 000008
【図７】
2005079742.tif 000009
【図８】
2005079742.tif 000010
【図９】
2005079742.tif 000011
【図１０】
2005079742.tif 000012
【図１１】
2005079742.tif 000013
【図１２】
2005079742.tif 000014
【図１３】
2005079742.tif 000015